(57)【要約】【課題】フィルタリングされた直交周波数分割多重（OFDM）による適応型フレーム構造のためのシステムおよび方法を提供する。【解決手段】スペクトルの柔軟性を実現するために、異なるフィルタリングされた直交周波数分割多重（f-OFDM）フレームフォーマットが使用される。f-OFDM波形は、直交周波数分割多重化（OFDM）信号に対してパルス整形デジタルフィルタを適用することによって生成される。異なるトラフィックタイプを搬送し、並びに、チャネル、送信機、受信機またはサービングセルの特性に適応するために、異なるフレームフォーマットが使用されてよい。異なるフレームフォーマットは、異なる副搬送波（SC）間隔および/またはサイクリックプレフィックス（CP）長を利用してよい。いくつかの実施形態では、異なるフレームフォーマットはまた、異なるシンボル持続時間および/または送信時間間隔（TTI）長も利用する。【選択図】図２
2020031439.tif 000002
【特許請求の範囲】
【請求項１】
無線ネットワークにおいて信号を送信するための方法であって、
無線対応デバイスにより、第1のフレーム構造構成を使用する第1の直交周波数分割多重（OFDM）信号を通信するステップと、
前記無線対応デバイスにより、第2のフレーム構造構成を使用する第2のOFDM信号を通信するステップであって、前記第1のOFDM信号が、時間領域において、前記第2のOFDM信号と少なくとも部分的に重複する、ステップと
を含み、
前記第1のフレーム構造構成と前記第2のフレーム構造構成の少なくともいくつかの重複するスロットのペアが互いに異なる開始位置または終了位置を有することとなるように、前記第1のフレーム構造構成は、時間領域において、前記第2のフレーム構造構成と少なくとも部分的に不整列である、方法。
【請求項２】
前記第1のフレーム構造構成のすべてのスロットの開始位置が、前記第2のフレーム構造構成のすべてのスロットの開始位置からオフセットされている、請求項1に記載の方法。
【請求項３】
前記第1のフレーム構造構成のスロットが、前記第2のフレーム構造構成のスロットと同一の周期的持続時間を有する、請求項2に記載の方法。
【請求項４】
前記第1のフレーム構造構成のスロットが、前記第2のフレーム構造構成のスロットと異なる周期的持続時間を有する、請求項2に記載の方法。
【請求項５】
前記第1のOFDM信号および前記第2のOFDM信号が、互いに異なる周波数サブバンドを介して送信される、請求項1から4のいずれか一項に記載の方法。
【請求項６】
前記第1のOFDM信号および前記第2のOFDM信号が、互いに異なるサイクリックプレフィックス（CP）長を有したシンボルを搬送する、請求項1から5のいずれか一項に記載の方法。
【請求項７】
前記無線対応デバイスがモバイルデバイスまたはアクセスポイントである、請求項1から6のいずれか一項に記載の方法。
【請求項８】
装置であって、
プロセッサと、
前記プロセッサによる実行のためのプログラムを記憶する非一時的なコンピュータ可読記憶媒体と
を含み、
前記プログラムは、
第1のフレーム構造構成を使用する第1の直交周波数分割多重（OFDM）信号を通信するための命令と、
第2のフレーム構造構成を使用する第2のOFDM信号を通信するための命令であって、前記第1のOFDM信号が、時間領域において、前記第2のOFDM信号と少なくとも部分的に重複する、命令と
を含み、
前記第1のフレーム構造構成と前記第2のフレーム構造構成の少なくともいくつかの重複するスロットのペアが互いに異なる開始位置または終了位置を有することとなるように、前記第1のフレーム構造構成は、時間領域において、前記第2のフレーム構造構成と少なくとも部分的に不整列である、装置。
【請求項９】
前記第1のフレーム構造構成のすべてのスロットの開始位置が、前記第2のフレーム構造構成のすべてのスロットの開始位置からオフセットされている、請求項8に記載の装置。
【請求項１０】
前記第1のフレーム構造構成のスロットが、前記第2のフレーム構造構成のスロットと同一の周期的持続時間を有する、請求項9に記載の装置。
【請求項１１】
前記第1のフレーム構造構成のスロットが、前記第2のフレーム構造構成のスロットと異なる周期的持続時間を有する、請求項9に記載の装置。
【請求項１２】
前記第1のOFDM信号および前記第2のOFDM信号が、互いに異なるサイクリックプレフィックス（CP）長を有したシンボルを搬送する、請求項8から11のいずれか一項に記載の装置。
【請求項１３】
前記第1のOFDM信号および前記第2のOFDM信号が、互いに異なる周波数サブバンドを介して送信される、請求項8から12のいずれか一項に記載の装置。
【請求項１４】
モバイルデバイスまたはアクセスポイントである、請求項8から13のいずれか一項に記載の装置。
【請求項１５】
コンピュータプログラムであって、
第1のフレーム構造構成を使用する第1の直交周波数分割多重（OFDM）信号を通信するための命令と、
第2のフレーム構造構成を使用する第2のOFDM信号を通信するための命令であって、前記第1のOFDM信号が、時間領域において、前記第2のOFDM信号と少なくとも部分的に重複する、命令と
を含み、
前記第1のフレーム構造構成と前記第2のフレーム構造構成の少なくともいくつかの重複するスロットのペアが互いに異なる開始位置または終了位置を有することとなるように、前記第1のフレーム構造構成は、時間領域において、前記第2のフレーム構造構成と少なくとも部分的に不整列である、コンピュータプログラム。
【請求項１６】
前記第1のフレーム構造構成のすべてのスロットの開始位置が、前記第2のフレーム構造構成のすべてのスロットの開始位置からオフセットされている、請求項15に記載のコンピュータプログラム。
【請求項１７】
前記第1のフレーム構造構成のスロットが、前記第2のフレーム構造構成のスロットと同一の周期的持続時間を有する、請求項16に記載のコンピュータプログラム。
【請求項１８】
前記第1のフレーム構造構成のスロットが、前記第2のフレーム構造構成のスロットと異なる周期的持続時間を有する、請求項16に記載のコンピュータプログラム。
【請求項１９】
前記第1のOFDM信号および前記第2のOFDM信号が、互いに異なるサイクリックプレフィックス（CP）長を有したシンボルを搬送する、請求項15から18のいずれか一項に記載のコンピュータプログラム。
【請求項２０】
前記第1のOFDM信号および前記第2のOFDM信号が、互いに異なる周波数サブバンドを介して送信される、請求項15から18のいずれか一項に記載のコンピュータプログラム。
【発明の詳細な説明】
【技術分野】
【０００１】
本特許出願は、2015年3月31日に出願された、“System and Method for an Adaptive Frame Structure with Filtered OFDM”と題する米国仮出願シリアル番号62/140,995に対して優先権を主張する、2016年1月22日に出願された、“System and Method for an Adaptive Frame Structure with Filtered OFDM”と題する米国特許出願シリアル番号15/004,430に対して優先権を主張し、その両方は、ここで、その全体が再現されるかのように本明細書において参照によって組み込まれる。
【０００２】
本発明は、無線通信のためのシステムおよび方法に関し、詳細な実施形態においては、フィルタリングされた直交周波数分割多重（OFDM）による適応型フレーム構造のためのシステムおよび方法に関する。
【背景技術】
【０００３】
モバイルデバイスが、ストリーミングビデオ、モバイルゲームおよび他の様々なサービスにアクセスするためにますます使用されるにつれて、次世代の無線ネットワークは、全体的なネットワークおよびチャネル性能要件も満たしつつ、多様なトラフィックタイプをサポートする必要があり得る。異なるトラフィックタイプは、異なるサービス品質（QoS）要件（例えば、待ち時間、パケット損失、ジッタ等）を含む、異なる特性を有し得る。従って、次世代無線ネットワークが将来の要求を満たすことを可能にするために、無線ネットワークのリソースを介して多様なトラフィックタイプを効率的に通信するための技術が必要とされる。
【発明の概要】
【課題を解決するための手段】
【０００４】
フィルタリングされたOFDMによる適応型フレーム構造のためのシステムおよび方法を記載するこの開示の実施形態によって、技術的な利点が一般に実現される。
【０００５】
実施形態に従って、無線ネットワークにおいて信号を送信するための方法が提供される。この例では、方法は、第1のフィルタリングされた直交周波数分割多重（f-OFDM）信号を送信するステップと、第2のf-OFDM信号を送信するステップとを含む。第1のf-OFDM信号および第2のf-OFDM信号は、互いに異なる副搬送波間隔に従って通信される。この方法を実行するための装置もまた提供される。
【０００６】
別の実施形態に従って、無線ネットワークにおいて信号を受信するための方法が提供される。この例では、方法は、第1のフィルタリングされた直交周波数分割多重（f-OFDM）信号を受信するステップと、第2のf-OFDM信号を受信するステップとを含む。第1のf-OFDM信号および第2のf-OFDM信号は、互いに異なる副搬送波間隔に従って通信される。この方法を実行するための装置もまた提供される。
【図面の簡単な説明】
【０００７】
本発明およびその利点のより完全な理解のために、添付図面と併せて行われる以下の説明に対して参照がここで行われ、添付図面は以下を含む：
【０００８】
【図１】図1は、実施形態の無線ネットワークの図を示す。
【図２】図2は、実施形態のフィルタリングされた直交周波数分割多重（f-OFDM）構成の図を示す。
【図３】図3は、別の実施形態のf-OFDM構成の図を示す。
【図４】図4は、異なるフレームフォーマットを有するf-OFDM信号を送信するための実施形態の方法のフローチャートを示す。
【図５】図5は、異なるフレームフォーマットを有するf-OFDM信号を送信するための別の実施形態の方法のフローチャートを示す。
【図６】図6は、異なるフレームフォーマットを有するf-OFDM信号を受信するための実施形態の方法のフローチャートを示す。
【図７】図7は、実施形態のf-OFDM構成の図を示す。
【図８】図8は、別の実施形態のf-OFDM構成の図を示す。
【図９】図9は、さらに別の実施形態のf-OFDM構成の図を示す。
【図１０】図10は、ダウンリンクf-OFDMフレームを構成するための実施形態の方法のフローチャートを示す。
【図１１】図11は、ダウンリンクf-OFDMパラメータを変更するための実施形態の方法のフローチャートを示す。
【図１２】図12は、ダウンリンクf-OFDMパラメータを変更するための別の実施形態の方法のフローチャートを示す。
【図１３】図13は、ダウンリンクf-OFDMパラメータを変更するためのさらに別の実施形態の方法のフローチャートを示す。
【図１４】図14は、アップリンクf-OFDMフレームを構成するための実施形態の方法のフローチャートを示す。
【図１５】図15は、アップリンクf-OFDMパラメータに従って、アップリンクf-OFDMフレームを送信するための別の実施形態の方法のフローチャートを示す。
【図１６】図16は、さらに別の実施形態のf-OFDM構成の図を示す。
【図１７】図17は、さらに別の実施形態のf-OFDM構成の図を示す。
【図１８】図18は、さらに別の実施形態のf-OFDM構成の図を示す。
【図１９】図19は、さらに別の実施形態のf-OFDM構成の図を示す。
【図２０】図20は、イントラ-f-OFDM適応型TTI構成の例を示す。
【図２１】図21は、実施形態の通信デバイスの図を示す。
【図２２】図22は、実施形態のコンピューティングプラットフォームの図を示す。
【発明を実施するための形態】
【０００９】
異なる図面における対応する数字および記号は、他に示されない限り、対応する部分を一様に指す。図面は、実施形態の関連する態様を明確に示すために描かれ、必ずしも一定の縮尺で描かれていない。
【００１０】
実施形態の構成、製造および使用が以下で詳細に議論される。しかしながら、本発明は、多種多様な具体的な文脈において具現化されることができる、多くの適用可能な発明概念を提供することは理解されるべきである。議論される具体的な実施形態は、発明を行うおよび使用するための具体的な方法の単なる例示であり、発明の範囲を限定するものではない。
【００１１】
本開示の態様は、次世代無線ネットワークにおける多様なトラフィックタイプをサポートするために必要とされるスペクトルの柔軟性を実現するために、異なるフィルタリングされた直交周波数分割多重（f-OFDM）フレームフォーマットを利用する。f-OFDM波形は、直交周波数分割多重化（OFDM）信号に対してパルス整形デジタルフィルタを適用することによって生成される。本開示の実施形態は、異なるトラフィックタイプを搬送し、並びに、チャネル、送信機、受信機またはサービングセルの特性に適応するために、異なるフレームフォーマットを使用する。異なるフレームフォーマットは、異なる副搬送波（SC）間隔および/またはサイクリックプレフィックス（CP）長を利用する。いくつかの実施形態では、異なるフレームフォーマットはまた、異なるシンボル持続時間および/または送信時間間隔（TTI）長も利用する。本明細書で言及されるように、“フレームフォーマット”という用語および“フレーム構造構成”という用語は、互換的に使用される。
【００１２】
上述のように、CP長、副搬送波間隔、シンボル持続時間およびTTI長の異なる組合せを使用することが、例えば、待ち時間、スペクトル効率等の性能の効果を有するように、トラフィックを通信するために異なるフレームフォーマットを使用することは、重要なスペクトルの柔軟性を提供することができる。いくつかの実施形態では、f-OFDM信号は、異なるフレームフォーマットに割り当てられる。割り当ては、例えば、それぞれのf-OFDM信号内で搬送されるデータの特性、それを介してf-OFDM信号が送信される無線チャネルの特性、f-OFDM信号を送信するために割り当てられる送信機の特性、f-OFDM信号を受信するために割り当てられる受信機の特性等の、任意の基準に基づいてよい。フレームフォーマットのf-OFDM信号への割り当ては、様々な方法で実現されてよい。いくつかの実施形態では、フレームフォーマットは、ネットワークリソースにマッピングされ、f-OFDM信号は、そのマッピングに基づくネットワークリソースにおいて送信され、適切なフレームフォーマット割り当てを実現する。1つの例では、異なるフレームフォーマットは、異なる周波数サブバンドにマッピングされ、f-OFDM信号は、適切なフレームフォーマットにマッピングされたいずれかの周波数サブバンドに割り当てられる。別の例では、異なるフレームフォーマットは、異なる期間にマッピングされ、f-OFDM信号は、適切なフレームフォーマットを有するいずれかの期間に割り当てられる。異なるパラメータを有するフレームフォーマットは、同じ周波数サブバンドまたは異なる周波数サブバンド内にあってよい。他の実施形態では、フレームフォーマットは、リソーススケジューリングとは無関係に、f-OFDM信号に直接割り当てられてよい。このような実施形態では、割り当てられたフレームフォーマットは、f-OFDM信号を搬送するために割り当てられるいずれかのリソースを介してf-OFDM信号を送信するために使用されることができる。このことは、どのフレームフォーマットがどのネットワークリソースに適用されているかを持続的に調整する必要があるため、より高いオーバヘッド要件を潜在的に有する一方で、より高いネットワークの柔軟性を実現することができる。これらのおよび他の態様は、以下でさらに詳細に説明される。
【００１３】
図1は、データを通信するためのネットワーク100を示す。ネットワーク100は、カバレッジエリア101を有するアクセスポイント（AP）110と、複数のモバイルデバイス120と、バックホールネットワーク130とを含む。AP 110は、中でも、基地局、進化型Node B（eNB）、フェムトセルおよび他の無線対応デバイス等の、モバイルデバイス120とのアップリンク（破線）および/またはダウンリンク（点線）接続を確立することによって、無線アクセスを提供することができる任意のコンポーネントであってよい。モバイルデバイス120は、モバイル局（STA）、ユーザ機器（UE）または他の無線対応デバイス等の、AP 110との無線接続を確立することができる任意のコンポーネントであってよい。バックホールネットワーク130は、AP 110とリモートエンドとの間でデータが交換されることを可能にする任意のコンポーネントまたはコンポーネントの集合であってよい。いくつかの実施形態では、このようなネットワークが複数存在してよく、且つ/または、ネットワークは、リレー、低電力ノード等の、様々な他の無線デバイスを含んでよい。
【００１４】
図2は、実施形態のフィルタリングされた直交周波数分割多重（f-OFDM）構成200の図を示す。示されるように、f-OFDM構成200は、それを介して異なるフレームフォーマット201-204が送信される、周波数サブバンド210、220、230、240を含む。異なるフレームフォーマット201-204の各々は、フレームパラメータ、例えば、CP-長、SC間隔、シンボル持続時間、TTI長等の異なる組合せを有する。いくつかの実施形態では、異なるフレームフォーマットは、異なる周波数サブバンドに割り当てられる。この例では、サブバンド210は、フレームフォーマット201に割り当てられ、一方で、サブバンド220は、フレームフォーマット202に割り当てられる。他の実施形態では、異なるフレームフォーマットは、同じ周波数サブバンドにおける異なる期間において通信されるように割り当てられる。この例では、フレームフォーマット201、202は、時分割多重化（TDM）方式で割り当てられる。2つのフレームフォーマット（すなわち、フレームフォーマット201、202）の交代パターンが、サブバンド230を介して通信されるものとして示されている一方、フレームフォーマットの任意のパターンおよび任意の数の異なるフレームフォーマットが、周波数サブバンドに割り当てられることができることは認識されるべきである。他の実施形態では、異なるフレームフォーマットは、同じ周波数サブバンドの異なる副搬送波を介して通信されてよい。この例では、フレームフォーマット203、204は、周波数サブバンド240の異なる副搬送波を介して通信される。周波数サブバンド210、220、230および240の帯域幅は、時間の経過と共に変化することができる。他の例もまた可能である。
【００１５】
いくつかの実施形態では、フレームフォーマットは、1つまたは複数の周波数サブバンドを介して通信されるf-OFDM信号に割り当てられることができる。図3は、別の実施形態のf-OFDM構成300の図を示す。示されるように、f-OFDM構成300は、それを介して異なるフレームフォーマット301-309が通信される周波数サブバンド310、320、330を含む。異なるフレームフォーマット301-309の各々は、フレームパラメータ、例えば、CP-長、SC間隔、シンボル持続時間、TTI長等の異なる組合せを有する。この例では、周波数サブバンド320には、デフォルトのフレームフォーマット305が割り当てられる。フレームフォーマット305は、モバイルデバイスによって知られているフレームパラメータ（例えば、CP-長、SC-間隔、シンボル持続時間等）の標準セットを有してよい。デフォルトのフレームフォーマット305は、時間的に連続して送信されることができ、または、周期的に送信されることができる（例えば、図7における“構成1”）。このことは、無線ネットワークに入るモバイルデバイスが、周波数サブバンド320において信号を受信することを可能にすることができる。周波数サブバンド320は、フレームフォーマットを周波数サブバンド310に割り当て、並びに、フレームフォーマットを周波数サブバンド330に割り当てるために使用されてよい。とりわけ、フレームフォーマットを周波数サブバンド310に動的に割り当てることは、異なるフレームフォーマットが、フレーム毎に各f-OFDM信号に割り当てられることを可能にすることができる。この例では、フレームフォーマット301は、周波数サブバンド310を介して通信される第1のf-OFDM信号に割り当てられ、フレームフォーマット302は、周波数サブバンド310を介して通信される第2のf-OFDM信号に割り当てられ、フレームフォーマット303は、周波数サブバンド310を介して通信される第3のf-OFDM信号に割り当てられ、フレームフォーマット304は、周波数サブバンド310を介して通信される第4のf-OFDM信号に割り当てられる。周波数サブバンド310、320および330の帯域幅は、時間の経過と共に変化することができる。
【００１６】
周波数サブバンド330におけるフレームフォーマットの準静的な構成は、異なるフレームフォーマットが、異なる準静的な割り当て期間331、332に割り当てられることを可能にすることができる。フレームフォーマットの準静的な構成は、フレームフォーマットの動的な構成よりも少ないオーバヘッドを生成し得る。この例では、フレームフォーマット302は、準静的な割り当て期間331に割り当てられ、且つ、フレームフォーマット309は、準静的な割り当て期間332に割り当てられる。
【００１７】
図4は、送信機によって実行されることができるような、異なるフレームフォーマットを有するf-OFDM信号を送信するための実施形態の方法400を示す。示されるように、方法400はステップ410で開始し、ここで、送信機は、第1のf-OFDM信号を送信する。次に、方法400はステップ420に進み、ここで、送信機は、第2のf-OFDM信号を送信する。第2のf-OFDM信号によって搬送されるシンボルは、第1のf-OFDM信号によって搬送されるシンボルとは異なるCP-長を有する。加えて、第2のf-OFDM信号は、第1のf-OFDM信号とは異なる副搬送波間隔を有する副搬送波を介して通信される。
【００１８】
いくつかの実施形態では、異なるフレームフォーマットは、異なるf-OFDM信号に割り当てられる。図5は、送信機によって実行されることができるような、異なるフレームフォーマットを有するf-OFDM信号を送信するための別の実施形態の方法500を示す。示されるように、方法500はステップ510で開始し、ここで、送信機は、1つまたは複数の基準に基づいて、異なるフレームフォーマットをf-OFDMサブバンドに構成する。次に、方法500はステップ520に進み、ここで、送信機は、割り当てられたフレームフォーマットに従って、f-OFDM信号を送信する。
【００１９】
フレームフォーマット割り当てを行うために使用される基準は、信号送信に関連付けられた様々な特性を含んでよい。1つの例では、基準は、それぞれのf-OFDM信号内で搬送されるデータの特性、例えば、待ち時間要件、遅延許容要件、トラフィックタイプ、サービスタイプ等を含む。別の例では、基準は、それを介してf-OFDM信号が送信される無線チャネルの特性、例えば、マルチパス遅延特性、経路損失等を含む。さらに別の例では、基準は、送信機の特性、例えば、サービング領域サイズ等を含む。さらに別の例では、基準は、f-OFDM信号を受信するために割り当てられる受信機の特性、例えば、受信機の移動速度を含む。基準はまた、上述の特性の組合せを含んでよい。
【００２０】
いくつかの実施形態では、異なるフレームフォーマットを有するフレームは、単一の受信機によって受信される。図6は、受信機によって実行されることができるような、異なるフレームフォーマットを有するf-OFDM信号を受信するための実施形態の方法600を示す。示されるように、方法600はステップ610で開始し、ここで、受信機は、第1のf-OFDM信号を受信する。次に、方法600はステップ620に進み、ここで、受信機は、第1のf-OFDM信号によって搬送されるシンボルとは異なるCP-長を有するシンボルを搬送し、並びに、第1のf-OFDM信号とは異なる副搬送波間隔を有する副搬送波を介して通信される第2のf-OFDM信号を受信する。
【００２１】
5Gのための現在の適応型TTI設計は、同じ副搬送波間隔およびシンボル持続時間でのみ動作する。5Gエアインタフェースにおけるフレーム構造設計に関する様々な実施形態が提供される。実施形態は、フィルタリングされたOFDMにおいて動作する、同じシステム帯域幅における適応型、且つ、柔軟性のあるフレーム構造（例えば、副搬送波間隔、シンボルプレフィックス/サフィックス、TTI長等）のためのシステムおよび方法を提供する。実施形態は、同じシステム帯域幅においてフィルタリングされたOFDMと組み合わされたときに共存することができる適応型フレーム構造（その中でTTIはただ1つの要素であり、副搬送波間隔およびシンボルプレフィックス/サフィックス持続時間は他のものである）を提供する。実施形態は、異なるフレーム構造パラメータに順応する能力のために、5Gシステムの多様な環境およびトラフィックタイプを満たすためのより柔軟な解決手段を提供する一方で、同時に、モバイルデバイスがこのようなシステムに容易にアクセスすることを可能にする。
【００２２】
図7は、副搬送波間隔、合計シンボル持続時間、シンボルプレフィックス/サフィックス構成およびTTI長を含む、フレーム構造構成の例を示す。図7に示されるように、構成1はデフォルトの構成である。構成2は、低待ち時間マシン型通信（MTC）のための構成であり、且つ、構成3は、遅延許容MTCのための構成である。構成4は、高移動性のためのものであり、且つ、構成5は、ブロードキャストサービスのためのものである。これは、ダウンリンクおよびアップリンクの両方に適用可能である。
【００２３】
イントラ-f-OFDMサブバンドにおいては、同じ副搬送波間隔および合計シンボル持続時間を持つフレーム構造構成は共存することができる。インター-f-OFDMサブバンドは、異なる副搬送波間隔および合計シンボル持続時間を持つ構成を含む。デフォルトのフレーム構造は、デフォルトのf-OFDMサブバンド内の事前に定義された時間-周波数リソース内で生じる。これは、必ずしも全ての時間ではなく、事前に定義された期間に発生する。モバイルデバイスによる初期アクセスを容易にし、ダウンリンク（DL）については必須であるが、アップリンク（UL）については任意であってよい。デフォルトのフレーム構造は、後方互換性フレーム構造構成（例えば、ロングタームエボリューション（LTE））または5Gデフォルトフレーム構造構成であることができる。これは、例えば、搬送波周波数に依存する。
【００２４】
実施形態に係る、f-OFDMによる適応型フレーム構造のためのメカニズムが以下のように説明される。最初に、デフォルトのフレーム構造パラメータセット（構成）が定義される（例えば、デフォルトの副搬送波間隔、合計シンボル持続時間、TTI長、プレフィックス/サフィックス長等のシンボルオーバヘッド等）。次にデフォルトのフレーム構造パラメータセットとは異なる追加のフレーム構造パラメータセット（構成）が定義される。実施形態では、異なるf-OFDMサブバンドフレーム構造は、少なくとも異なるSC間隔および合計シンボル持続時間を有する。
【００２５】
次に、デフォルトのフレーム構造は、デフォルトのf-OFDMサブバンド内の事前に定義された時間-周波数リソース内で送信される。これは、ネットワークおよびモバイルデバイスの両方で知られている（例えば、DLのための搬送波周波数の周りの帯域幅（BW）に配置される）。デフォルトのf-OFDMサブバンドは、少なくとも、デフォルトのフレーム構造によって占有される、時間-周波数リソースのBWである。デフォルトのフレーム構造は、任意のタイプのトラフィックを搬送するために使用されることができる。図8は、実施形態に係る、デフォルトのf-OFDMサブバンドを示す。最後に、他のf-OFDMサブバンドにおける追加のフレーム構造が、要求に応じて構成される。
【００２６】
デフォルトのフレーム構造パラメータセットの実施形態は、LTEのものとは異なるデフォルトの5Gフレーム構造パラメータセットを含む。LTEフレーム構造パラメータセットは、例えば、SC（副搬送波間隔）=15 kHz、TTI=1 ms等を含んでよい。追加のフレーム構造パラメータセットの実施形態は、高速および低速用のフレーム構造、分散チャネル（例えば、屋外）およびより分散性の低いチャネル（例えば、屋内）のためのフレーム構造、異なる搬送波周波数のためのフレーム構造および異なるトラフィック特性（例えば、待ち時間）のためのフレーム構造を含む。表1は、異なるトラフィック/受信機によく適したパラメータのタイプを列挙する。表2は、7.5キロヘルツ（KHz）副搬送波間隔のための例示的なフレームフォーマットパラメータを列挙する。表3は、15キロヘルツ（KHz）副搬送波間隔のための例示的なフレームフォーマットパラメータを列挙する。表4は、30キロヘルツ（KHz）副搬送波間隔のための例示的なフレームフォーマットパラメータを列挙する。表5は、30キロヘルツ（KHz）副搬送波間隔のための例示的なフレームフォーマットパラメータを列挙する。表6は、様々な構成のための表1乃至5から選択された例示的なf-OFDMフレームパラメータを示す。パラメータは、副搬送波間隔（例えば、7.5、15、30、60 kHz）に関してLTEの円滑なスケーラビリティをサポートすることができる。実施形態は、LTE基本時間単位（または30.72MHzのサンプリング周波数）との後方互換性を含む。様々な実施形態は、デバイス・ツー・デバイス（D2D）またはMTCを考慮して、7.5 KHzの狭い副搬送波間隔を提供する。様々な実施形態はまた、異なる環境、例えば、屋外および屋内、大小セルのための3つのタイプのCP、例えば、ミニCP（1〜2 us）、通常CP（〜5 us）および拡張CP（>5 us）をサポートする。実施形態は、縮小され、且つ、変化するCPオーバヘッドオプション、例えば、1％〜10％、および、例えば、0.15 ms、1 ms、5 ms等の異なるフレームサイズを形成することができる、短長TTIを提供する。
【００２７】
【表１】
2020031439.tif 000003
【００２８】
【表２】
2020031439.tif 000004
【００２９】
【表３】
2020031439.tif 000005
【００３０】
【表４】
2020031439.tif 000006
【００３１】
【表５】
2020031439.tif 000007
【００３２】
【表６】
2020031439.tif 000008
【００３３】
図9は、適応型フレームフォーマットをサポートするための実施形態のf-OFDM構成を示す図である。本実施形態では、表6に列挙される4つのフレームフォーマットは、20 MHzスペクトルの3つのf-OFDMサブバンド内で通信される。f-OFDMの使用により、異なるフレーム構造構成に対応するOFDM合計シンボル持続時間（サイクリックプレフィックス＋有用シンボル持続時間）は、図に示されるように、整列する必要はない。すなわち、パラメータの非直交セットは共存することができる。例えば、30 kHz（“高移動性”）構成は、約37μsのOFDM合計シンボル持続時間を有するが、15 kHz（“LTE互換性”）構成は、約71μsのOFDM合計シンボル持続時間を有する。
【００３４】
f-OFDMパラメータは、デフォルトのf-OFDMフレームの制御チャネル内で通信されることができる。図10は、送信機によって実行されることができるような、ダウンリンクf-OFDMフレームを構成するための実施形態の方法1000のフローチャートを示す。示されるように、方法1000はステップ1010で開始し、ここで、送信機は、f-OFDM信号のためのf-OFDMパラメータを決定する。その後、方法1000はステップ1020に進み、ここで、送信機は、f-OFDMパラメータに従って、f-OFDM信号を送信する。DL f-OFDMパラメータは、サブバンド情報およびフレームパラメータを含んでよい。サブバンド情報は、サブバンドのインデックス、基準値からのオフセットまたはサブバンドに関連付けられた任意の他の情報を含んでよい。フレームパラメータは、副搬送波間隔、シンボル持続時間、オーバヘッド構成（例えば、サイクリックプレフィックス（CP）長等）、送信時間間隔（TTI）持続時間またはf-OFDMフレームの構造に対応する任意の他のパラメータを識別してよい。フレームパラメータは、パラメータセットのインデックス、個々のパラメータのインデックスまたはフレーム構造に関連付けられた任意の他のインデックス、パラメータまたは値を含んでよい。
【００３５】
f-OFDMパラメータは、上位層シグナリングを介して通信されることができる。図11は、送信機によって実行されることができるような、ダウンリンク（DL）f-OFDMパラメータを変更するための実施形態の方法1100のフローチャートを示す。示されるように、方法1100はステップ1110で開始し、ここで、送信機は、基準に基づいて、DL f-OFDM信号のためのDL f-OFDMパラメータを変更する。基準は、DL f-OFDM信号によって搬送されるデータの特性、チャネルの特性、送信機の特性またはDL f-OFDM信号を受信するために割り当てられる受信機の特性（またはそれらの組合せ）を含んでよい。その後、方法1100はステップ1120に進み、ここで、送信機は、上位層シグナリング、例えば、無線リソース制御（RRC）シグナリング等を介して、DL f-OFDMパラメータを送信する。最後に、方法1100はステップ1130に進み、ここで、送信機は、DL f-OFDMパラメータに従って、DL f-OFDM信号を送信する。
【００３６】
f-OFDMパラメータは、デフォルトのf-OFDMフレームを介して通信されることができる。図12は、送信機によって実行されることができるような、DL f-OFDMパラメータを変更するための実施形態の方法1200のフローチャートを示す。示されるように、方法1200はステップ1210で開始し、ここで、送信機は、基準に基づいて、DL f-OFDM信号のためのDL f-OFDMパラメータを変更する。その後、方法1200はステップ1220に進み、ここで、送信機は、デフォルトのDL f-OFDMフレームを介して、変更されたDL f-OFDMパラメータを送信する。f-OFDMパラメータは、デフォルトのDL f-OFDMフレームの制御チャネル内で通信されることができる。最後に、方法1200はステップ1230に進み、ここで、送信機は、DL f-OFDMパラメータに従って、DL f-OFDM信号を送信する。
【００３７】
f-OFDMパラメータは、前に変更されたf-OFDMフレームを介して通信されることができる。図13は、送信機によって実行されることができるような、DL f-OFDMパラメータを変更するための実施形態の方法1300のフローチャートを示す。示されるように、方法1300はステップ1310で開始し、ここで、送信機は、基準に基づいて、DL f-OFDM信号のためのDL f-OFDMパラメータを変更する。その後、方法1300はステップ1320に進み、ここで、送信機は、前に変更されたf-OFDMフレームを介して、変更されたDL f-OFDMパラメータを送信する。DL f-OFDMパラメータは、前に変更されたDL f-OFDMフレームの制御チャネル内で通信されてよい。最後に、方法1300はステップ1330に進み、ここで、送信機は、新しく変更されたDL f-OFDMパラメータに従って、DL f-OFDM信号を送信する。この方法は、特に、他のf-OFDMサブバンドにおける他のフレーム構造を使用して、モバイルデバイスに影響を与える変更、例えば、他のf-OFDM サブバンドサイズ、SC間隔、合計シンボル持続時間およびオーバヘッド持続時間を変更することに有益であり得る。
【００３８】
アップリンク（UL）f-OFDMフレームを構成することもまた可能である。図14は、基地局によって実行されることができるような、アップリンクf-OFDMフレームを構成するための実施形態の方法1400のフローチャートを示す。示されるように、方法1400はステップ1410で開始し、ここで、基地局は、f-OFDM信号のためのUL f-OFDMパラメータを決定する。その後、方法1400はステップ1420に進み、ここで、基地局は、UL f-OFDMパラメータをモバイルデバイスに送信する。UL f-OFDMパラメータは、上位層シグナリングを介して、または、ダウンリンクf-OFDMフレームの制御チャネル（例えば、デフォルト、変更済またはその他）内で通信されてよい。最後に、方法1400はステップ1430に進み、ここで、基地局は、UL f-OFDMパラメータに従って、f-OFDM信号を受信する。
【００３９】
図15は、モバイルデバイスによって実行されることができるような、UL f-OFDMフレームを送信するための実施形態の方法1500のフローチャートを示す。示されるように、方法1500はステップ1510で開始し、ここで、モバイルデバイスは、基地局からUL f-OFDMパラメータを受信する。UL f-OFDMパラメータは、上位層シグナリングを介して、または、ダウンリンクf-OFDMフレーム（例えば、デフォルト、変更済またはその他）の制御チャネル内で通信されてよい。その後、方法1500はステップ1520に進み、ここで、モバイルデバイスは、UL f-OFDMパラメータに従って、UL f-OFDM信号を送信する。UL f-OFDMパラメータが事前に定義されていない（例えば、デフォルトのUL f-OFDMフレームがない）場合、次いで、モバイルデバイスは、初期アクセス時にDL関連シグナリングからフレーム構造情報を取得してよい。UL f-OFDMパラメータが事前に定義されている場合、その時は、モバイルデバイスは、UL f-OFDMパラメータが基地局によってシグナリングされることを待たずに、デフォルトのフレーム構造におけるUL上で送信してよい。従って、初期フレーム構造およびf-OFDMサブバンドを事前構成することは、オーバヘッドを低減することができる。
【００４０】
図16-19は、実施形態のf-OFDM構成を示す。これらの図において、送信時間間隔パラメータは“TTI”と呼ばれ、副搬送波間隔パラメータは“SC”と呼ばれ、合計シンボル持続時間パラメータは“T”と呼ばれ、サイクリックプレフィックス、サイクリックサフィックスまたはゼロ尾によるシンボルオーバヘッドは“O”と呼ばれる。図16は、実施形態に係る、異なるf-OFDMサブバンド上の異なるフレーム構造およびf-OFDMサブバンド内の同じフレーム構造を示す。図17は、実施形態に係る、異なるf-OFDMサブバンド上の異なるフレーム構造およびf-OFDMサブバンド内の異なるTTI長を示す。副搬送波間隔、合計シンボル持続時間およびシンボルオーバヘッドは、しかしながら、f-OFDMサブバンド内で同じである。図18は、実施形態に係る、異なるf-OFDMサブバンド上の異なるフレーム構造およびf-OFDMサブバンド内の異なるTTI長およびシンボルオーバヘッドを示す。例えば、この例は、ゼロ-尾DFT-s-OFDMまたは調整可能なゼロ-尾DFT-s-OFDMを使用して、異なるシンボルオーバヘッドを提供してよい。図19は、実施形態に係る、後方互換性のある拡張（LTEフレーム構造）を示す。これは、同時に発生する異なるf-OFDMサブバンド上の通常および拡張CPフレーム構造を含んでよい。
【００４１】
図20は、実施形態に係る、イントラ-f-OFDM適応型TTI構成の例を示す。本実施形態では、論理TTIリソースの、時間持続時間における物理TTIリソース（例えば、10 msの無線フレーム）へのマッピング（パターン）のセットが定義される。マッピングは、フレームからフレームに変更されることができる（例えば、事前に定義されたマッピングのセットを循環することによって、またはシグナリングによって）。マッピングは、ローカライズされたタイプでも、分散タイプでもあることができる。ローカライズされたTTIマッピングによると、TTI長は、フレームの持続時間、同じ帯域幅内の物理リソースを占有する。分散TTIマッピングによると、図20に示されるように、帯域幅全体にわたって、異なるTTI長がホップすることができる。このことは、周波数ダイバーシティの利用を可能にする。
【００４２】
実施形態に従って、無線ネットワークにおいて信号を送信するための方法が提供される。この例では、方法は、第1のフィルタリングされた直交周波数分割多重（f-OFDM）信号を送信するステップと、第2のf-OFDM信号を送信するステップとを含む。第1のf-OFDM信号および第2のf-OFDM信号は、互いに異なる副搬送波間隔に従って通信される。第1のf-OFDM信号および第2のf-OFDM信号は、互いに異なるサイクリックプレフィックス（CP）長を有するシンボルを搬送してよい。第1のf-OFDM信号および第2のf-OFDM信号は、異なる送信時間間隔（TTI）中、同じ周波数サブバンドを介して送信されてよい。第1のf-OFDM信号および第2のf-OFDM信号は、同じ期間中、異なる周波数サブバンドを介して送信されてよい。
【００４３】
方法は、第1のフレームフォーマットを第1のf-OFDM信号に割り当て、且つ、第2のフレームフォーマットを第2のf-OFDM信号に割り当てるステップをさらに含んでよい。第1のフレームフォーマットは、第2のフレームフォーマットとは異なるCP長および異なる副搬送波間隔を必要とし得る。実施形態では、第1のフレームフォーマットを第1のf-OFDM信号に割り当てるステップは、第1のf-OFDM信号によって搬送されるべきデータの特性に基づいて、第1のフレームフォーマットを選択するステップを含む。第1のf-OFDM信号によって搬送されるべきデータの特性は、待ち時間要件、遅延許容要件、トラフィックタイプ、サービスタイプまたはそれらの組合せを含んでよい。別の実施形態では、第1のフレームフォーマットを第1のf-OFDM信号に割り当てるステップは、それを介して第1のf-OFDM信号が送信される無線チャネルの特性に基づいて、第1のフレームフォーマットを選択するステップを含む。無線チャネルの特性は、無線チャネルのマルチパス遅延を含む。さらに別の実施形態では、第1のフレームフォーマットを第1のf-OFDM信号に割り当てるステップは、送信機のサービング領域サイズに基づいて、第1のフレームフォーマットを選択するステップを含む。さらに別の実施形態では、第1のフレームフォーマットを割り当てるステップは、第1のf-OFDM信号に関連付けられた受信機の特性に基づいて、第1のフレームフォーマットを選択するステップを含む。第1のf-OFDM信号に関連付けられた受信機の特性は、受信機の移動速度を含んでよい。
【００４４】
実施形態では、第1のf-OFDM信号および第2のf-OFDM信号は、受信機によって受信される。第1のf-OFDM信号は、受信機によって知られているデフォルトのフレームフォーマットに従って通信されてよい。第1のf-OFDM信号は、第2のf-OFDM信号が、デフォルトのフレームフォーマットとは異なるフレームフォーマットに従って通信されることを示してよい。
【００４５】
別の実施形態に従って、無線ネットワークにおいて信号を受信するための方法が提供される。この例では、方法は、第1のフィルタリングされた直交周波数分割多重（f-OFDM）信号を受信するステップと、第2のf-OFDM信号を受信するステップとを含む。第1のf-OFDM信号および第2のf-OFDM信号は、互いに異なる副搬送波間隔に従って通信される。第1のf-OFDM信号および第2のf-OFDM信号は、互いに異なるサイクリックプレフィックス（CP）長を有するシンボルを搬送してよい。第1のf-OFDM信号および第2のf-OFDM信号は、異なる送信時間間隔（TTI）中、同じ周波数サブバンドを介して受信されてよい。第1のf-OFDM信号および第2のf-OFDM信号は、同じ期間中、異なる周波数サブバンドを介して受信されてよい。第1のf-OFDMは、受信機によって知られているデフォルトのフレームフォーマットに従って通信されてよく、且つ、第1のf-OFDM信号は、第2のf-OFDM信号が、デフォルトのフレームフォーマットとは異なるフレームフォーマットに従って通信されることを示してよい。
【００４６】
図21は、本明細書で記載された方法を実行するための実施形態の処理システム2100のブロック図を示し、これは、ホストデバイスにインストールされてよい。示されるように、処理システム2100は、プロセッサ2104、メモリ2106およびインタフェース2110-2114を含み、これらは図21に示されるように配置されてよい（されなくてもよい）。プロセッサ2104は、計算および/または他の処理関連タスクを実行するように適合される任意のコンポーネントまたはコンポーネントの集合であってよく、メモリ2106は、プロセッサ1504による実行のためのプログラムおよび/または命令を記憶するように適合される任意のコンポーネントまたはコンポーネントの集合であってよい。実施形態では、メモリ2106は、非一時的なコンピュータ可読媒体を含む。インタフェース2110、2112、2114は、処理システム2100が、他のデバイス/コンポーネントおよび/またはユーザと通信することを可能にする任意のコンポーネントまたはコンポーネントの集合であってよい。例えば、インタフェース2110、2112、2114の1つまたは複数は、プロセッサ2104から、ホストデバイスおよび/またはリモートデバイス上にインストールされたアプリケーションに、データ、制御または管理メッセージを通信するように適合されてよい。別の例として、インタフェース2110、2112、2114の1つまたは複数は、ユーザまたはユーザデバイス（例えば、パーソナルコンピュータ（PC）等）が、処理システム2100と対話/通信することを可能にするように適合されてよい。処理システム2100は、ロングタームストレージ（例えば、不揮発性メモリ等）等の、図21に描かれていない追加のコンポーネントを含んでよい。
【００４７】
いくつかの実施形態では、処理システム2100は、電気通信ネットワークにアクセスしているか、または、そうでなければその一部である、ネットワークデバイスに含まれる。1つの例では、処理システム2100は、基地局、中継局、スケジューラ、コントローラ、ゲートウェイ、ルータ、アプリケーションサーバまたは電気通信ネットワーク内の任意の他のデバイス等の、無線または有線電気通信ネットワーク内のネットワーク側デバイス内にある。他の実施形態では、処理システム2100は、モバイル局、ユーザ機器（UE）、パーソナルコンピュータ（PC）、タブレット、ウェアラブル通信デバイス（例えば、スマートウォッチ等）または電気通信ネットワークにアクセスするように適合される任意の他のデバイス等の、無線または有線電気通信ネットワークにアクセスするユーザ側モバイルデバイス内にある。
【００４８】
いくつかの実施形態では、インタフェース2110、2112、2114の1つまたは複数は、処理システム2100を、電気通信ネットワークを介してシグナリングを送信および受信するように適合されるトランシーバに接続する。図22は、電気通信ネットワークを介してシグナリングを送信および受信するように適合されるトランシーバ2200のブロック図を示す。トランシーバ2200は、ホストデバイス内にインストールされてよい。示されるように、トランシーバ2200は、ネットワーク側インタフェース2202、カプラ2204、送信機2206、受信機2208、信号プロセッサ2210およびデバイス側インタフェース2212を含む。ネットワーク側インタフェース2202は、無線または有線電気通信ネットワークを介してシグナリングを送信または受信するように適合される任意のコンポーネントまたはコンポーネントの集合を含んでよい。カプラ2204は、ネットワーク側インタフェース2202を介した双方向通信を容易にするように適合される任意のコンポーネントまたはコンポーネントの集合を含んでよい。送信機2206は、ネットワーク側インタフェース2202を介した送信に適した変調された搬送波信号にベースバンド信号を変換するように適合される任意のコンポーネントまたはコンポーネントの集合（例えば、アップコンバータ、電力増幅器等）を含んでよい。受信機2208は、ネットワーク側インタフェース2202を介して受信される搬送波信号をベースバンド信号に変換するように適合される任意のコンポーネントまたはコンポーネントの集合（例えば、ダウンコンバータ、低雑音増幅器等）を含んでよい。信号プロセッサ2210は、ベースバンド信号を、デバイス側インタフェース2212を介した通信に適したデータ信号に変換、またはその逆をすることに適した任意のコンポーネントまたはコンポーネントの集合を含んでよい。デバイス側インタフェース2212は、信号プロセッサ2210とホストデバイス内のコンポーネント（例えば、処理システム2100、ローカルエリアネットワーク（LAN）ポート等）との間のデータ信号を通信するように適合される任意のコンポーネントまたはコンポーネントの集合を含んでよい。
【００４９】
トランシーバ2200は、任意のタイプの通信媒体を介してシグナリングを送信および受信してよい。いくつかの実施形態では、トランシーバ2200は、無線媒体を介してシグナリングを送信および受信する。例えば、トランシーバ2200は、セルラプロトコル（例えば、ロングタームエボリューション（LTE）等）、無線ローカルエリアネットワーク（WLAN）プロトコル（例えば、Wi-Fi等）、または、任意の他のタイプの無線プロトコル（例えば、ブルートゥース（登録商標）、近距離通信（NFC）等）等の、無線電気通信プロトコルに従って通信するように適合される無線トランシーバであってよい。このような実施形態では、ネットワーク側インタフェース2202は、1つまたは複数のアンテナ/放射要素を含む。例えば、ネットワーク側インタフェース2202は、例えば、単一入力多出力（SIMO）、多入力単一出力（MISO）、多入力多出力（MIMO）等のマルチレイヤ通信用に構成される単一のアンテナ、複数の別個のアンテナまたはマルチアンテナアレイを含んでよい。他の実施形態では、トランシーバ2200は、無線媒体、例えば、ツイストペアケーブル、同軸ケーブル、光ファイバ等を介して、シグナリングを送信および受信する。具体的な処理システムおよび/またはトランシーバは、示されるコンポーネントの全てを利用してよく、または、コンポーネントのサブセットのみを利用してよく、且つ、統合のレベルはデバイス毎に変化し得る。
1つの実施形態は、無線ネットワークにおいて信号を送信するための方法を提供し、方法は、送信機によって、第1のフィルタリングされた直交周波数分割多重（f-OFDM）信号を送信するステップと、送信機によって、第2のf-OFDM信号を送信するステップとを含み、第1のf-OFDM信号および第2のf-OFDM信号は、互いに異なる副搬送波間隔に従って通信される。第1のf-OFDM信号および第2のf-OFDM信号は、互いに異なるサイクリックプレフィックス（CP）長を有するシンボルを搬送する。第1のf-OFDM信号および第2のf-OFDM信号は、異なる送信時間間隔（TTI）中、同じ周波数サブバンドを介して送信される。第1のf-OFDM信号および第2のf-OFDM信号は、同じ期間中、異なる周波数サブバンドを介して送信される。方法は、第1のフレームフォーマットを第1のf-OFDM信号に割り当て、且つ、第2のフレームフォーマットを第2のf-OFDM信号に割り当てるステップをさらに含み、第1のフレームフォーマットは、第2のフレームフォーマットとは異なるCP長および異なる副搬送波間隔を必要とする。第1のフレームフォーマットを第1のf-OFDM信号に割り当てるステップは、第1のf-OFDM信号によって搬送されるべきデータの特性に基づいて、第1のフレームフォーマットを選択するステップを含む。第1のf-OFDM信号によって搬送されるべきデータの特性は、待ち時間要件、遅延許容要件、トラフィックタイプ、サービスタイプまたはそれらの組合せを含む。第1のフレームフォーマットを第1のf-OFDM信号に割り当てるステップは、それを介して第1のf-OFDM信号が送信される無線チャネルの特性に基づいて、第1のフレームフォーマットを選択するステップを含む。無線チャネルの特性は、無線チャネルのマルチパス遅延を含む。第1のフレームフォーマットを第1のf-OFDM信号に割り当てるステップは、送信機のサービング領域サイズに基づいて、第1のフレームフォーマットを選択するステップを含む。第1のフレームフォーマットを第1のf-OFDM信号に割り当てるステップは、第1のf-OFDM信号に関連付けられた受信機の特性に基づいて、第1のフレームフォーマットを選択するステップを含む。第1のf-OFDM信号に関連付けられた受信機の特性は、受信機の移動速度を含む。第1のf-OFDM信号および第2のf-OFDM信号は受信機によって受信され、第1のf-OFDM信号は、受信機によって知られているデフォルトのフレームフォーマットに従って通信され、且つ、第1のf-OFDM信号は、第2のf-OFDM信号が、デフォルトのフレームフォーマットとは異なるフレームフォーマットに従って通信されることを示す。
1つの実施形態は、プロセッサと、プロセッサによる実行のためのプログラムを記憶するコンピュータ可読記憶媒体とを含む送信機を提供し、プログラムは、第1のフィルタリングされた直交周波数分割多重（f-OFDM）信号を送信するための命令と、第2のf-OFDM信号を送信するための命令とを含み、第1のf-OFDM信号および第2のf-OFDM信号は、互いに異なる副搬送波間隔に従って通信される。第1のf-OFDM信号および第2のf-OFDM信号は、互いに異なるサイクリックプレフィックス（CP）長を有するシンボルを搬送する。第1のf-OFDM信号および第2のf-OFDM信号は、異なる送信時間間隔（TTI）中、同じ周波数サブバンドを介して送信される。第1のf-OFDM信号および第2のf-OFDM信号は、同じ期間中、異なる周波数サブバンドを介して送信される。
1つの実施形態は、無線ネットワークにおいて信号を受信するための方法を提供し、方法は、受信機によって、第1のフィルタリングされた直交周波数分割多重（f-OFDM）信号を受信するステップと、受信機によって、第2のf-OFDM信号を受信するステップとを含み、第1のf-OFDM信号および第2のf-OFDM信号は、互いに異なる副搬送波間隔に従って通信される。第1のf-OFDM信号および第2のf-OFDM信号は、互いに異なるサイクリックプレフィックス（CP）長を有するシンボルを搬送する。第1のf-OFDM信号および第2のf-OFDM信号は、異なる送信時間間隔（TTI）中、同じ周波数サブバンドを介して受信される。第1のf-OFDM信号および第2のf-OFDM信号は、同じ期間中、異なる周波数サブバンドを介して受信される。第1のf-OFDMは、受信機によって知られているデフォルトのフレームフォーマットに従って通信され、且つ、第1のf-OFDM信号は、第2のf-OFDM信号が、デフォルトのフレームフォーマットとは異なるフレームフォーマットに従って通信されることを示す。
1つの実施形態は、プロセッサと、プロセッサによる実行のためのプログラムを記憶するコンピュータ可読記憶媒体とを含む受信機を提供し、プログラムは、第1のフィルタリングされた直交周波数分割多重（f-OFDM）信号を受信するための命令と、第2のf-OFDM信号を受信するための命令とを含み、第1のf-OFDM信号および第2のf-OFDM信号は、互いに異なる副搬送波間隔に従って通信される。第1のf-OFDM信号および第2のf-OFDM信号は、互いに異なるサイクリックプレフィックス（CP）長を有するシンボルを搬送する。第1のf-OFDM信号および第2のf-OFDM信号は、異なる送信時間間隔（TTI）中、同じ周波数サブバンドを介して受信される。第1のf-OFDM信号および第2のf-OFDM信号は、同じ期間中、異なる周波数サブバンドを介して受信される。
【００５０】
本発明は例示的な実施形態を参照して説明された一方、この説明は、限定的意味において解釈されるようには意図されない。例示的な実施形態の様々な変更および組合せ、並びに発明の他の実施形態は、説明を参照すると、当業者には明らかである。従って、添付の特許請求の範囲は、任意のこのような変更または実施形態を包含すると意図される。
【符号の説明】
【００５１】
130  バックホールネットワーク
210  サブバンド
220  サブバンド
230  サブバンド
240  サブバンド
305  デフォルトのフレームフォーマット
310  サブバンド
320  サブバンド
330  サブバンド
331  準静的な割り当て期間
332  準静的な割り当て期間
2104  プロセッサ
2106  メモリ
2110  インタフェース
2112  インタフェース
2114  インタフェース
2202  ネットワーク側インタフェース
2204  カプラ
2206  送信機
2208  受信機
2210  信号プロセッサ
2212  デバイス側インタフェース
【図１】
2020031439.tif 000009
【図２】
2020031439.tif 000010
【図３】
2020031439.tif 000011
【図４】
2020031439.tif 000012
【図５】
2020031439.tif 000013
【図６】
2020031439.tif 000014
【図７】
2020031439.tif 000015
【図８】
2020031439.tif 000016
【図９】
2020031439.tif 000017
【図１０】
2020031439.tif 000018
【図１１】
2020031439.tif 000019
【図１２】
2020031439.tif 000020
【図１３】
2020031439.tif 000021
【図１４】
2020031439.tif 000022
【図１５】
2020031439.tif 000023
【図１６】
2020031439.tif 000024
【図１７】
2020031439.tif 000025
【図１８】
2020031439.tif 000026
【図１９】
2020031439.tif 000027
【図２０】
2020031439.tif 000028
【図２１】
2020031439.tif 000029
【図２２】
2020031439.tif 000030
【外国語明細書】
2020031439000001.pdf